(57)【要約】【課題】棉切れを効果的に抑制して枕表面の高さのムラを抑えることができる枕を提供する。【解決手段】枕１００は、頭部支持体１１０と上層体１２０とで構成されている。頭部支持体１１０は、袋状に形成された支持体カバー１１１の内部に充填材１１２が充填されて構成されている。支持体カバー１１１は、柔軟な布材を袋状に成形して構成されている。充填材１１２は、不規則な立体形状からなるウレタン樹脂製の第１充填材１１２ａと球体状の発泡ポリスチレン樹脂製の第２充填材１１２ｂとで構成されている。上層体１２０は、袋状に形成された棉板カバー１２１の内部に棉板１２２が収容されて構成されている。棉板カバー１２１は、柔軟な布材を袋状に成形して構成されている。棉板１２２は、棉を圧縮して板状体に成形して構成されている。枕１００は、上層体１２０が頭部支持体１１０に対して重ねた状態と広げた状態とにそれぞれ配置位置が変更可能に繋がっている。【選択図】  図１
2016083078.tif 000002
【特許請求の範囲】
【請求項１】
袋体内に粒状体が充填されて人の頭部を載置可能な大きさに形成された頭部支持体と、
前記頭部支持体の外表面を覆う棉を有した上層体とを備え、
前記上層体は、
前記棉を圧縮加工することにより厚さが３０ｍｍ以下の薄板状に成形した棉板で構成されていることを特徴とする枕。
【請求項２】
請求項１に記載した枕において、
前記上層体は、
前記棉板を覆う布状の棉板カバーを有し、
前記棉板の縁部が前記棉板カバーに固着されていることを特徴とする枕。
【請求項３】
請求項１に記載した枕において、
前記上層体は、
前記棉板を保持しつつ前記頭部支持体に対して着脱自在な棉板カバーを有することを特徴とする枕。
【請求項４】
請求項１または請求項２に記載した枕において、
前記上層体は、
前記頭部支持体の外縁部の一部に可動的に繋がって形成されて同頭部支持体に対して重ねた状態と広げた状態とにそれぞれ配置位置が変更可能に形成されていることを特徴とする枕。
【請求項５】
請求項４に記載した枕において、
前記頭部支持体における前記上層体が配置される外表面の少なくとも一部に凹凸部が形成されていることを特徴とする枕。
【請求項６】
請求項４または請求項５に記載した枕において、
前記棉板は、
前記棉の繊維の方向が前記枕を使用する使用者の身長方向に延びていることを特徴とする枕。
【請求項７】
請求項４ないし請求項６のうちのいずれか１つに記載した枕において、
前記上層体は、
前記棉板の一部が前記頭部支持体内に延びて配置されていることを特徴とする枕。
【請求項８】
請求項１ないし請求項７のうちのいずれか１つに記載した枕において、
前記棉板は、
前記棉の繊維の方向が前記枕の左右方向に延びていることを特徴とする枕。
【請求項９】
請求項１ないし請求項８のうちのいずれか１つに記載した枕において、
前記棉板は、
前記棉を圧縮加工によりシート状に成形した棉シートを重ねて構成されていることを特徴とする枕。
【請求項１０】
請求項１ないし請求項９のうちのいずれか１つに記載した枕において、
前記上層体は、
前記棉板が複数枚重ねられて構成されていることを特徴とする枕。
【発明の詳細な説明】
【技術分野】
【０００１】
本発明は、就寝時に頭部に敷いて使用する枕に関する。
【背景技術】
【０００２】
従来から、多数の粒状の充填材の外側面に棉（わた）の層を設けることにより、使用者の頭部を充填材で安定的かつ通気性良く支持しつつ肌触りを良好にした枕がある。例えば、下記特許文献１には、棉を熱溶着などの手法を用いて固定したシート材の内側に粒状の充填材を詰めて棉切れを防止した枕が開示されている。ここで、棉切れとは、充填材の外側面に配置される棉の層が使用により偏りや分断が生じて部分的に薄くなったり途切れたりすることである。
【先行技術文献】
【特許文献】
【０００３】
【特許文献１】特開２００４−２６７２８８号公報
【０００４】
しかしながら、上記特許文献１に記載した枕においては、棉の繊維のかたまりを層状に広げてシート材に固定したものであるため、繰り返しの使用によってシート材に直接固定されていない棉（特に層の上の部分）に偏りや分断が生じ易く棉切れの防止が不十分であるとともに枕表面に高さのムラ（表面に細かな凸凹）が生じ易いという問題があった。
【発明の概要】
【０００５】
本発明は上記問題に対処するためなされたもので、その目的は、棉切れを効果的に抑制して枕表面の高さのムラを抑えることができる枕を提供することにある。
【０００６】
上記目的を達成するため、本発明の特徴は、袋体内に粒状体が充填されて人の頭部を載置可能な大きさに形成された頭部支持体と、頭部支持体の外表面を覆う棉を有した上層体とを備え、上層体は、棉を圧縮加工することにより厚さが３０ｍｍ以下の薄板状に成形した棉板で構成されていることにある。
【０００７】
この場合、頭部支持体を構成する充填材としては、各種粒状物、具体的には、そば殻、パンヤ、合成樹脂製ビーズ（ポリエステル樹脂、ポリエチレン樹脂、ウレタン樹脂など）、筒状ビーズ（シンセテンホールビーズ、ドングリビーズなど）、木片チップなどを単種でまたはこれらを適宜組み合わせて構成することができる。この場合、充填材には、粒状物に棉、羽毛または羊毛を混ぜて構成することもできる。また、棉板は、棉をローラなどに通して圧縮して平板状に成形したもので、棉板の一部を把持しても湾曲したとしても板状態を維持する程度に複数の棉が平板状に一体化したものである。この場合、棉板を構成する棉としては、綿花、絹、麻、羊毛、パンヤなその天然繊維のほか、ポリエステル樹脂などからなる合成樹脂繊維をそれぞれ単体でまたはこれらを適宜組み合わせて用いることができる。この場合、棉板を構成する棉の目付けは、１００ｇ／ｍ２以上かつ３００ｇ／ｍ２以下がよいが、１００ｇ／ｍ２以上かつ２００ｇ／ｍ２以下がより好適である。そして、棉板の厚さは、３０ｍｍ以下が望ましいが、好適には５ｍｍ以上２５ｍｍ以下、更に好適には１０ｍｍ以上２０ｍｍ以下がよい。また、本発明における枕には、就寝用の一般的な枕のほか、枕として機能できるもの、例えば、抱き枕やクッションも含むものである。
【０００８】
このように構成した本発明の特徴によれば、枕は、粒状物を充填した頭部支持体の外側面に配置される上層体が棉を圧縮成形した棉板で構成されているため、棉板全体として偏りや分断が生じ難く棉切れを効果的に抑制することができるとともに枕表面の高さのムラを抑えて快適な使用感を得ることができる。
【０００９】
また、本発明の他の特徴は、前記枕において、上層体は、棉板を覆う布状の棉板カバーを有し、棉板の縁部が棉板カバーに固着されていることにある。
【００１０】
このように構成した本発明の他の特徴によれば、枕は、上層体が棉板を覆う布状の棉板カバーを有するとともにこの棉板カバーに棉板の縁部が固着されているため、棉板カバーが棉板と一体化することにより棉板の棉板カバー内での位置ずれを防止することができるとともに、頭部支持体に対する棉板の位置ずれも抑制することができる。この場合、棉板の棉板カバーへの固着方法としては、縫合、接着剤または溶着などの手法を採用することができる。
【００１１】
また、本発明の他の特徴は、前記枕において、上層体は、棉板を保持しつつ頭部支持体に対して着脱自在な棉板カバーを有することにある。
【００１２】
このように構成した本発明の他の特徴によれば、枕は、上層体は、棉板を収容しつつ頭部支持体を出し入れ自在に収容する棉板カバーを有しているため、頭部支持体に対して容易に分離して頭部支持体のみでの使用や上層体単体での洗濯を行うことができる。この場合、棉板カバーは、頭部支持体を出し入れ自在に収容する袋状、頭部支持体に巻き付ける帯状、頭部支持体に縛る紐を有した平板状に形成することができる。
【００１３】
また、本発明の他の特徴は、前記枕において、上層体は、頭部支持体の外縁部の一部に可動的に繋がって形成されて同頭部支持体に対して重ねた状態と広げた状態とにそれぞれ配置位置が変更可能に形成されていることにある。
【００１４】
このように構成した本発明の他の特徴によれば、枕は、上層体が頭部支持体の外縁部の一部に可動的に繋がって形成されて同頭部支持体に対して重ねた状態と広げた状態とにそれぞれ配置位置が変更可能に形成されているため、使用者の好みに応じて上層体の使用を選択させることができる。また、枕は、上層体が薄板状の棉板で構成されているため、頭部支持体上に配置しない上層体を使用者の肩部に敷いて保温体として用いることができるほか、上層体を頭部支持体で折り畳んで枕の高さを高くできるともに上層体をロール状に丸めて使用者の首部の支持体として用いることができる。さらに、上層体は、頭部支持体上に載置した使用者の頭部に被せて使用することにより、頭部の保温することができるとともに外光を遮断して寝易くすることができる。
【００１５】
また、本発明の他の特徴は、前記枕において、頭部支持体における上層体が配置される外表面の少なくとも一部に凹凸部が形成されていることにある。
【００１６】
このように構成した本発明の他の特徴によれば、枕は、頭部支持体における外表面の少なくとも一部に凹凸部が形成されているため、頭部支持体上に配置される上層体の位置ずれを簡易な構成で抑制することができる。この場合、凹凸部は、メッシュ生地や起毛生地で構成することができる。また、凹凸部は、頭部支持体における左右の側方側に形成することで頭部支持体を直接枕として使用する際に使用者への凹凸部への接触を避けることができる。
【００１７】
また、本発明の他の特徴は、前記枕において、棉板は、棉の繊維の方向が枕を使用する使用者の身長方向に延びていることにある。
【００１８】
このように構成した本発明の他の特徴によれば、枕は、棉板における棉の繊維の方向が枕を使用する使用者の身長方向に延びているため、繊維の方向を左右方向にした場合に比べて上層体をロール状に丸めて使用する場合において弾性力を高めることができ、強い弾性力を求める使用者の要望に対応することができる。
【００１９】
また、本発明の他の特徴は、前記枕において、上層体は、棉板の一部が頭部支持体内に延びて配置されていることにある。
【００２０】
このように構成した本発明の他の特徴によれば、枕は、上層体における棉板の一部が頭部支持体内に延びて配置されているため、支持体カバーや棉板カバーの使用による伸びによって頭部支持体と上層体とが離れることを防止することができる。
【００２１】
また、本発明の他の特徴は、前記枕において、棉板は、棉の繊維の方向が枕の左右方向に延びていることにある。
【００２２】
このように構成した本発明の他の特徴によれば、枕は、棉板における棉の繊維の方向が枕の左右方向に延びているため、枕の左右方向に生じ易い棉切れを効果的に抑制することができる。また、枕は、上層体をロール状に丸めて使用する場合において上層体を丸め易いとともに首部を載置した際に潰れ易いため、高さを低く抑えたい使用者の要望に対応することができる。
【００２３】
また、本発明の他の特徴は、前記枕において、棉板は、棉を圧縮加工によりシート状に成形した棉シートを重ねて構成されていることにある。
【００２４】
このように構成した本発明の他の特徴によれば、枕は、棉板が棉を圧縮加工によりシート状に成形した棉シートを重ねて構成されているため、より効果的に棉切れおよび上層体表面での凹凸の発生を抑制することができる。
【００２５】
また、本発明の他の特徴は、前記枕において、上層体は、棉板が複数枚重ねられて構成されていることにある。
【００２６】
このように構成した本発明の他の特徴によれば、枕は、上層体が棉板を複数枚重ねて構成されているため、より効果的に棉切れおよび上層体表面での凹凸の発生をより効果的に抑制することができる。
【図面の簡単な説明】
【００２７】
【図１】本発明の一実施形態に係る枕の外観構成の概略を示す斜視図である。
【図２】図１に示した枕の内部構造の概略を示す断面図である。
【図３】図２に示した枕の上層体内に収容される棉板の外観構成の概略を示す斜視図である。
【図４】図１に示した枕における上層体を頭部支持体上に配置した状態を示す斜視図である。
【図５】図４に示した枕の内部構造の概略を示す断面図である。
【図６】図４に示した枕の上層体上に使用者の頭部を載せた使用状態を示した斜視図である。
【図７】図１に示した枕における上層体を２つ折りにして頭部支持体上に配置した状態を示す斜視図である。
【図８】図７に示した枕の上層体上に使用者の頭部を載せた使用状態を示した斜視図である。
【図９】図１に示した枕における上層体を丸めて頭部支持体に隣接配置した状態を示す斜視図である。
【図１０】図９に示した枕の上層体上および頭部支持体上に使用者の首部および頭部をそれぞれ載せた使用状態を示した斜視図である。
【図１１】図１に示した枕の上層体上および頭部支持体上に使用者の背部および頭部をそれぞれ載せた使用状態を示した斜視図である。
【図１２】図１に示した枕における上層体を２つ折りにして頭部支持体に隣接配置した状態を示す斜視図である。
【図１３】図１２に示した枕の上層体上および頭部支持体上に使用者の肩部および頭部をそれぞれ載せた使用状態を示した斜視図である。
【図１４】図１２に示した枕の上層体上に使用者の頭部を載せた使用状態を示した斜視図である。
【図１５】図１に示した枕の頭部支持体上に使用者の頭部を載せるとともにこの頭部上に上層体を被せた使用状態を示した斜視図である。
【図１６】本発明の変形例に係る枕の内部構造の概略を示す断面図である。
【図１７】本発明の他の変形例に係る枕の内部構造の概略を示す断面図である。
【発明を実施するための形態】
【００２８】
以下、本発明に係る枕の一実施形態について図面を参照しながら説明する。図１は、本発明に係る枕１００の外観構成の概略を示す斜視図である。また、図２は、図１に示した枕１００の内部構造の概略を示す断面図である。なお、本明細書において参照する図は、本発明の理解を容易にするために一部の構成要素を誇張して表わすなど模式的に表している。このため、各構成要素間の寸法や比率などは異なっていることがある。この枕１００は、人が就寝する際に頭部の下に敷いて使用する寝具である。
【００２９】
（枕１００の構成）
枕１００は、主として、頭部支持体１１０と上層体１２０とで構成されている。頭部支持体１１０は、使用者Ｕの頭部Ｈを支持する弾力性を有する構造体であり、平面視で人の頭部を載置可能な大きさの長方形状に形成されている。この頭部支持体１１０は、袋状に形成された支持体カバー１１１の内部に充填材１１２が充填されて構成されている。
【００３０】
支持体カバー１１１は、頭部支持体１１０の外表面を構成するとともに充填材１１２を収容するためのものであり、柔軟な布材を袋状に成形して構成されている。具体的には、支持体カバー１１１は、綿花や絹などの天然繊維材および合成樹脂材を単体でまたはこれらを適宜混合した織物や不織布で構成することができる。この場合、支持体カバー１１１は、伸縮性を有する生地で構成することにより充填材１１２との密着性を保持しつつ頭部支持体１１０を変形させることができる。
【００３１】
充填材１１２は、使用者Ｕの頭部Ｈを支持する部品であり、第１充填材１１２ａと第２充填材１１２ｂとで構成されている。第１充填材１１２ａは、直径が５ｍｍ以下の不規則な立体形状からなるウレタン樹脂製の粒状体群で構成されている。一方、第２充填材１１２ｂは、０.５〜２.０ｍｍの大きさの範囲で複数種類の大きさに形成された発泡ポリスチレン樹脂製の球体群によって構成されている。このように、充填材１１２を第１充填材１１２ａと第２充填材１１２ｂとで構成することにより、頭部Ｈから圧力（体圧）を分散支持することができるとともに頭部Ｈからの熱を適度に逃がすことができる。なお、これらの第１充填材１１２ａおよび第２充填材１１２ｂの混合割合は、枕１００の仕様（例えば、高さ、硬さ、通気性、および保温性など）に応じて適宜調製される。
【００３２】
この頭部支持体１１０は、平面視で長方形状の支持体カバー１１１内に充填材１１２が充填されることによって中央部、すなわち、使用者の頭部Ｈが載置される部分が膨らんだ立体的形状に形成されている。本実施形態においては、頭部支持体１１０は、上下面が対象に形成されており、上下どちらの面でも頭部Ｈを載置可能な使用面１１３となっている。また、この頭部支持体１１０の使用面１１３には、凹凸部１１４が形成されている。
【００３３】
凹凸部１１４は、支持体カバー１１１の外表面に多数の突起を有して構成されている。本実施形態においては、凹凸部１１４は、支持体カバー１１１の２つの使用面１１３上における各左右両側部分に肌触りの良いメッシュ生地をそれぞれ縫合して構成されている。
【００３４】
上層体１２０は、可撓性を有する板状に形成されて頭部支持部１１０と組み合わせてまたは上層体１２０単体で用いられる構造体であり、平面視で人の頭部を載置可能な大きさの長方形状に形成されている。この上層体１２０は、袋状に形成された棉板カバー１２１の内部に棉板１２２が収容されて構成されている。
【００３５】
棉板カバー１２１は、上層体１２０の外表面を構成するとともに棉板１２２を収容するための部品であり、柔軟な布材を袋状に成形して構成されている。具体的には、棉板カバー１２１は、綿花や絹などの天然繊維材および合成樹脂材を単体でまたはこれらを適宜混合した織物や不織布で構成することができる。この場合、棉板カバー１２１は、伸縮性を有する生地で構成することにより棉板１２２との密着性を保持しつつ上層体１２０を変形させることができる。すなわち、本実施形態においては、棉板カバー１２１は、支持体カバー１１１と同じ布材で構成されている。
【００３６】
棉板１２２は、図３に示すように、棉を圧縮して板状体に成形して構成されている。この場合、棉板１２２は、棉板１２２の一部を把持しても湾曲したとしても板状態を維持する程度に複数の棉が平板状に一体化したものである。この棉板１２２は、棉を圧縮成形した棉シート１２２ａを重ねて構成されている。この場合、棉板１２２を構成する棉としては、綿花、絹、麻、羊毛、パンヤなその天然繊維のほか、ポリエステル樹脂などからなる合成樹脂繊維をそれぞれ単体でまたはこれらを適宜組み合わせて用いることができる。なお、図２およびそれぞれ後述する図５、図１６、図１７においては、棉シート１２２ａの図示をそれぞれ省略している。
【００３７】
この棉板１２２は、図示しない圧縮製綿機、カード機およびニードルパンチ機を用いて成形される。ここで圧縮製綿機は、図示しない一対のローラ間に多数の棉の小片を圧縮することにより棉をシート状にした棉シート１２２ａを成形する機械装置である。また、カード機は、図示しない櫛を用いて棉シート１２２ａの繊維の方向を揃える機械装置である。また、ニードルパンチ機は、重ね合された複数枚の棉シート１２２ａ同士を交絡針によって互いに絡み合せて１枚の棉板１２２を成形する機械装置である。本実施形態においては、棉板１２２は、３枚の棉シート１２２ａを重ねることにより、縦が４０ｃｍ、横が６０ｃｍ、厚さが２ｃｍの板状体に成形される。また、棉板１２２の目付けは、１５０ｇ／ｍ２である。
【００３８】
この棉板１２２は、４つの縁部（４辺）が平面視で長方形状に形成された棉板カバー１２１の各縁部に縫合されている。この場合、棉板１２２は、繊維の流れが棉板カバー１２１の長手方向、すなわち、枕１００の左右方向の延びる向きで棉板カバー１２１内に収容される。そして、棉板１２２を収容する棉板カバー１２１の２つの長辺のうちの一方が、充填材１１２を充填した支持体カバー１１１の２つの長辺のうちの一方に縫合されている。すなわち、頭部支持体１１０と上層体１２０とは一体的に繋がって形成されて上層体１２０が頭部支持体１１０に対して重ねた状態と広げた状態とにそれぞれ配置位置が変更可能に構成されている。
【００３９】
この場合、上層体１２０は、棉板１２２における頭部支持体１１０側の長辺部分が頭部支持体１１０内に入り込んだ状態で縫合されている。これにより、枕１００は、支持体カバー１１１や棉板カバー１２１の使用による伸びによって頭部支持体１１０と上層体１２０とが離れることを防止することができる。特に、支持体カバー１１１および棉板カバー１２１を伸縮性のある布地で構成した場合においては、頭部支持体１１０と上層体１２０とが離れることを効果的に防止することができる。なお、上層体１２０は、棉板１２２を完全に棉板カバー１２１内に収容した状態で棉板カバー１２１を頭部支持体１１０における支持体カバー１１１に縫合して連結することもできることは当然である。
【００４０】
（枕１００の作動）
次に、上記のように構成した枕１００の作動について説明する。この枕１００は、人の就寝時において使用者Ｕの頭部Ｈの下に敷かれて用いられる。この枕１００は、使用者Ｕの好みに応じて複数の使用方法がある。
【００４１】
まず、使用者Ｕは、第１の使用方法として、上層体１２０の全面を頭部支持体１１０における使用面１１３上に配置して使用することができる。具体的には、使用者Ｕは、図４ないし図６にそれぞれ示すように、上層体１２０を頭部支持体１１０における一方の使用面１１３上に配置した後、この上層体１２０上に頭部Ｈを載せて使用する。これにより、枕１００は、上層体１２０によって使用者Ｕに頭部支持体１１０による凹凸感を抑えながら柔らかな肌触りを与えることができる。また、枕１００は、上層体１２０が棉を圧縮成形した棉板１２２で構成されているため、棉板１２２全体として偏りや分断が生じ難く棉切れを効果的に抑制することができるとともに枕１００の表面の高さのムラを抑えて快適な使用感を与えることができる。なお、図６において使用者Ｕは、上層体１２０と頭部支持体１１０との縫合部分を首部Ｎ側に配置して使用したが、上層体１２０と頭部支持体１１０との縫合部分を頭頂部側に配置して使用してもよいことは当然である。
【００４２】
次に、使用者Ｕは、第２の使用方法として、上層体１２を折った状態で頭部支持体１１０における使用面１１３上に配置して使用することができる。具体的には、使用者Ｕは、図７および図８にそれぞれ示すように、上層体１２０を頭部支持体１１０における使用面１１３上で２つ折りして配置した後、この２つ折りにした上層体１２０上に頭部Ｈを載せて使用する。これにより、枕１００は、前記第１の使用方法よりもさらに、上層体１２０によって使用者Ｕに頭部支持体１１０による凹凸感を抑えながら柔らかな肌触りを与えることができる。また、この場合においても、枕１００は、上層体１２０が棉を圧縮成形した棉板１２２で構成されているため、棉板１２２全体として偏りや分断が生じ難く棉切れを効果的に抑制することができるとともに、２つ折りにした場合においても凹凸感を抑えて平滑な面を形成することができる。
【００４３】
次に、使用者Ｕは、第３の使用方法として、上層体１２０を丸めた状態で頭部支持体１１０に隣接配置して使用することができる。具体的には、使用者Ｕは、図９および図１０にそれぞれ示すように、上層体１２０をロール状に丸めた状態で頭部支持体１１０に隣接配置した後、この丸めた上層体１２０上に使用者Ｕの首部Ｎを載せるとともに頭部Ｈを頭部支持体１１０における使用面１１３上に載せて使用する。これにより、枕１００は、上層体１２０が使用者Ｕの首部Ｎを支持しながら頭部支持体１１０が使用者Ｕの頭部Ｈを支持するため、使用者Ｕの首部Ｎおよび頭部Ｈを安定した状態で支持することができる。また、この場合、枕１００は、上層体１２０における棉板１２２の繊維が枕１００の左右方向に沿って延びているため、上層体１２０が丸め易いとともに、首を載置した際に潰れ易いため高さを低く抑えたい使用者の要望に対応することができる。また、枕１００は、上層体１００を丸めた際の弾力性（復元力）も低くすることができるため、丸めた状態の上層体１００上に首部Ｎを載せ易くすることができる。
【００４４】
次に、使用者Ｕは、第４の使用方法として、上層体１２を頭部支持体１１０に対して広げた状態で隣接配置して使用することができる。具体的には、使用者Ｕは、図１および図１１にそれぞれ示すように、上層体１２０の全面を頭部支持体１１０の横に広げた状態で配置した後、この頭部支持体１１０の横に広げた上層体１２０上に使用者Ｕの肩部Ｓおよび背部（不図示）を載せるとともに頭部Ｈを頭部支持体１１０における使用面１１３上に載せて使用する。これにより、枕１００は、頭部支持体１１０によって使用者Ｕに凹凸感のある硬めの使用感を与えることができる。また、枕１００は、上層体１２０によって使用者の肩部Ｓや背部に柔らかな使用感を与えるとともに肩部Ｓおよび背部の保温性を高めることができる。
【００４５】
次に、使用者Ｕは、第５の使用方法として、上層体１２を頭部支持体１１０に隣接した位置に２つ折りにした状態で配置して使用することができる。具体的には、使用者Ｕは、図１２および図１３にそれぞれ示すように、上層体１２０を頭部支持体１１０の横に２つ折りにした状態で隣接配置した後、この頭部支持体１１０の横に２つ折りにした上層体１２０上に使用者Ｕの肩部Ｓを載せるとともに頭部Ｈを頭部支持体１１０における使用面１１３上に載せて使用する。これにより、枕１００は、頭部支持体１１０によって使用者Ｕに凹凸感のある硬めの使用感を与えることができる。また、枕１００は、上層体１２０によって使用者の肩部Ｓや背部に柔らかな使用感を与えるとともに肩部Ｓおよび背部の保温性を高めることができる。
【００４６】
また、使用者Ｕは、図１４に示すように、頭部支持体１１０の横に２つ折りにした上層体１２０上に使用者Ｕの頭部Ｈを載せて使用することもできる。これにより、枕１００は、頭部支持体１１０の使用感を好まない使用者Ｕや枕１００の高さを低く使用したい使用者Ｕに対して上層体１２０によって柔らかな使用感のみを与えることもできる。
【００４７】
次に、使用者は、第６の使用方法として、上層体１２を使用者Ｕの頭部Ｈに被せて使用することができる。具体的には、使用者は、図１５に示すように、頭部支持体１１０における使用面１１３上に頭部Ｈを載置した後、上層体１２０を頭部Ｈ上に載置して使用する。この場合、上層体１２０は、頭部支持体１１０上の頭部Ｈに対して使用者Ｕの頭頂部から鼻付近まで覆うことができる。これにより、枕１００は、上層体１１０によって頭部Ｈ（顔を含む）を保温することができるととともに使用者Ｕへの外光の照射を遮って寝易くすることができる。また、枕１００は、上層体１２０が使用者Ｕの顔面の一部を覆うことにより寝顔を他人に見られることも防止することができる。この第６の使用方法は、上層体１２０が薄板状の棉板１２２で構成されていることによって使用者Ｕの顔面に重量感や凹凸感を与えることなく柔らかな肌触りで載せることができるために実現できることである。
【００４８】
上記作動説明からも理解できるように、上記実施形態によれば、枕１００は、粒状物からなる充填材１１２を充填した頭部支持体１１０の外側面に配置される上層体１２０が棉を圧縮成形した棉板１２２で構成されているため、棉板１２２全体として偏りや分断が生じ難く棉切れを効果的に抑制することができるとともに枕１００の表面の高さのムラを抑えて快適な使用感を得ることができる。
【００４９】
さらに、本発明の実施にあたっては、上記実施形態に限定されるものではなく、本発明の目的を逸脱しない限りにおいて種々の変更が可能である。なお、下記各変形例において、上記実施形態と同様の構成部分については同じ符号を付して、その説明を省略する。
【００５０】
例えば、上記実施形態においては、頭部支持体１１０における充填材１１２は、第１充填材１１２ａおよび第２充填材１１２ｂの２種類で構成した。しかし、頭部支持体１１０は、少なくとも１種類の粒状物で構成されていればよい。したがって、頭部支持体１１０は、例えば、ウレタン樹脂製チップのみや発泡樹脂製ビーズのみで構成することもできる。
【００５１】
また、上記実施形態おいては、頭部支持体１１０は、使用面１１３上に凹凸部１１４を設けて構成した。これにより、枕１００は、使用面１１３上に上層体１２０を載置した場合において、上層体１２０の位置ずれを抑制して使用感を向上させることができる。しかし、頭部支持体１１０は、使用面１１３上に凹凸部１１４を省略して構成することもできる。
【００５２】
また、上記実施形態においては、上層体１２０は、棉板１２２を棉板カバー１２１に固着して構成した。これにより、上層体１２０は、使用中における棉板１２２の位置ずれやヨレを抑制することができ、棉板１２２全体として偏りや分断が生じ難く棉切れを効果的に抑制することができるとともに枕１００の表面の高さのムラを抑えて快適な使用感を得ることができる。しかし、上層体１２０は、棉板１２２を棉板カバー１２１に対して固着することなく収容することもできる。
【００５３】
また、上記実施形態においては、上層体１２０は、棉体１２２を棉の繊維の方向が枕１００の左右方向に延びるように配置して構成した。しかし、上層体１２０は、棉体１２２を棉の繊維の方向が枕１００を使用する使用者Ｕの身長方向に延びるように配置して構成することもできる。これによれば、枕１００は、繊維の方向を左右方向にした場合に比べて上層体１２０をロール状に丸めて使用する場合において弾性力を高めることができ、強い弾性力を求める使用者Ｕの要望に対応することができる。なお、上層体１２０は、棉の繊維が定まっていないランダムウェブを用いて構成することもできる。
【００５４】
また、上記実施形態においては、棉体１２２は、３枚の棉シート１２２ａを重ね合せて構成した。これにより、上層体１２０は、棉板１２２における棉切れおよび上層体１２０表面での凹凸の発生をより効果的に抑制することができる。しかし、棉板１２２は、少なくとも１枚の棉シート１２２ａで構成することができる。また、棉板１２２は、複数の棉シート１２２ａで構成する場合、繊維の方向が交わるように重ね合わせることにより、互いの棉シート１２２ａのずれを抑制することができる。
【００５５】
また、上記実施形態においては、上層体１２０は、１枚の棉板１２２で構成した。しかし、上層体１２０は、２枚状の棉板１２２を重ね合せて構成することもできる。これによれば、上層体１２０は、より効果的に棉切れおよび上層体１２０表面での凹凸の発生を抑制することができる。
【００５６】
また、上記実施形態においては、上層体１２０は、棉板１２２の厚さを２０ｍｍで構成した。しかし、棉板１２２の厚さは、３０ｍｍ以下が望ましいが、好適には５ｍｍ以上２５ｍｍ以下、更に好適には１０ｍｍ以上２０ｍｍ以下がよい。
【００５７】
また、上記実施形態においては、棉板１２２は、棉を圧縮加工によって平板状を維持するように構成した。しかし、棉板１２２は、棉を圧縮して平板状の棉板１２２に熱処理を行って繊維同士を熱溶着したり、棉を圧縮して平板状の棉板１２２に樹脂製接着剤を噴霧して乾燥させることにより繊維同士を接着したりして構成することもできる。これによれば、上層体１２０は、棉切れおよび上層体１２０表面での凹凸の発生を抑制することができる。
【００５８】
また、上記実施形態においては、枕１００は、頭部支持体１１０に対して可動的に上層体１２０を連結して構成した。しかし、枕１００は、例えば、図１６に示すように、支持体カバー１１１内において充填材１１２上に棉板１２２を配置して構成することができる。この場合、枕１００は、棉板１２２が平板状に形成されているため、棉板１２２を直接充填材１１２上に配置した場合であっても棉切れおよび上層体１２０表面での凹凸の発生を抑制することができる。また、枕１００は、棉板１２２を充填材１１２上に配置したシート材を介して配置してもよい。
【００５９】
また、枕１００は、上層体１２０を頭部支持体１１０と分離して構成することもできる。具体的には、枕１００は、例えば、上層体１２０を棉板１２２とこの棉板１２２を収容する棉板カバー１２１で構成することができる。これによれば、使用者Ｕは、上層体１２０を頭部支持体１１０における使用面１１３上に載置することにより枕１００を使用することができる。
【００６０】
また、枕１００は、例えば、図１７に示すように、上層体１２０を棉板１２２とこの棉板１２２および頭部支持体１１０をそれぞれ収容する棉板カバー１２１で構成することができる。すなわち、棉板カバー１２１は、棉板１２２を備えるとともに、頭部支持体１１０を収容可能な大きさに形成することができる。この場合、棉板カバー１２１は、頭部支持体１１０を出し入れするための開口部１２３を棉板カバー１２１の２つの長辺のうちの一方に備えている。これによれば、使用者Ｕは、枕１００の使用に際して、上層体１２０の棉板カバー１２１内に頭部支持体１１０を開口部１２３から収容することによって頭部支持体１１０上に棉板１２２を配置して使用することができる。
【００６１】
また、使用者Ｕは、棉板カバー１２１内から頭部支持体１１０を取り出すことによって頭部支持体１１０を単体で使用することができるとともに、使用者Ｕに接する棉板カバー１２１を洗濯することができる。また、上層体１２０は、同種のまたは異種（例えば、厚さや硬さが異なる）の棉板１２２をそれぞれ棉板カバー１２１に保持させて複数個用意しておくことができる。これによれば、使用者Ｕは、上層体１２０の洗濯時や損傷時のスペアーとすることができるとともに、好みに応じて上層体１２０を使い分けることができる。
【００６２】
なお、開口部１２３は、面ファスナーやファスナー（ジッパー）を備えて構成してもよいし、閉じることができない単なる開口で構成することもできる。また、開口部１２３は、棉板カバー１２２１の２つの短辺のうちの少なくとも一方に設けることもできる。また、棉板カバー１２１は、棉板１２２を内袋で覆って固定的に備えて頭部支持体１１０のみを出し入れ自在に構成することができるとともに（図１７参照）、棉板１２２および頭部支持体１１０をそれぞれ出し入れ可能に形成することもできる。また、棉板カバー１２１は、頭部支持体１１０を出し入れ自在に収容する袋状のほかに、頭部支持体１１０に巻き付ける帯状（図示せず）、頭部支持体１１０に縛る紐（図示せず）を有した平板状（例えば、平面視で方形や円形）に形成することができる。
【００６３】
また、枕１００は、上層体１２０を頭部支持体１１０と分離した構成とした場合、支持体カバー１１１を上層体１２０を収容可能な大きさに形成することもできる。この場合、上層体１２０は、棉板１２２のみで構成することができるとともに、棉板１２２を袋状の棉板カバー１２１内に収容して構成することもできる。これによれば、使用者Ｕは、枕１００の使用に際して、支持体カバー１１１内に上層体１２０を収容することによって頭部支持体１１０上に棉板１２２を配置して使用することができる。
【符号の説明】
【００６４】
Ｕ…使用者、Ｈ…頭部、Ｎ…首部、Ｓ…肩部、
１００…枕、
１１０…頭部支持体、１１１…支持体カバー、１１２…充填材、１１２ａ…第１充填材、１１２ｂ…第２充填材、１１３…使用面、１１４…凹凸部、
１２０…上層体、１２１…棉体カバー、１２２…棉板、１２２ａ…棉シート、１２３…開口部。
【図１】
2016083078.tif 000003
【図２】
2016083078.tif 000004
【図３】
2016083078.tif 000005
【図４】
2016083078.tif 000006
【図５】
2016083078.tif 000007
【図６】
2016083078.tif 000008
【図７】
2016083078.tif 000009
【図８】
2016083078.tif 000010
【図９】
2016083078.tif 000011
【図１０】
2016083078.tif 000012
【図１１】
2016083078.tif 000013
【図１２】
2016083078.tif 000014
【図１３】
2016083078.tif 000015
【図１４】
2016083078.tif 000016
【図１５】
2016083078.tif 000017
【図１６】
2016083078.tif 000018
【図１７】
2016083078.tif 000019